(57)【要約】【課題】  インクチューブ内の水分の蒸発を防ぐために、インクチューブを水分蒸発防止のための液体やシートで覆わなくても、水分の蒸発を抑えることができる液体流路形成体、および液体噴射装置を提供すること。【解決手段】液体の流路４を有する液体流路形成体１において、液体流路形成体１は、可撓性を有する材質から形成され、液体の流路４より外側の周囲に、疎水性を有する物質を含む層３が形成されていることとする。を特徴とする液体流路形成体。【選択図】  図１
2008188895.tif 000002
【特許請求の範囲】
【請求項１】
液体の流路を有する液体流路形成体において、
上記液体流路形成体は、可撓性を有する材質から形成され、
上記液体の流路より外側の周囲に、疎水性を有する物質を含む層が形成されていることを特徴とする液体流路形成体。
【請求項２】
前記疎水性を有する物質は、不揮発性の油であることを特徴とする請求項１に記載の液体流路形成体。
【請求項３】
前記疎水性を有する物質を含む層は、前記液体流路形成体の外周面より内側に形成されていることを特徴とする請求項１または２に記載の液体流路形成体。
【請求項４】
前記疎水性を有する物質を含む層の内側には、前記流路が複数配設されていることを特徴とする請求項１から３のいずれか１項に記載の液体流路形成体。
【請求項５】
前記疎水性を有する物質を含む層は多孔質に形成されていることを特徴とする請求項１から４のいずれか１項に記載の液体流路形成体。
【請求項６】
前記可撓性を有する材質は、エラストマ樹脂、ゴムまたはポリ塩化ビニル樹脂であることを特徴とする請求項１から５のいずれか１項に記載の液体流路形成体。
【請求項７】
前記疎水性を有する物質を含む層の層厚は、この層より内側の疎水性を有する物質を含まない層の層厚よりも厚いことを特徴とする請求項１から６のいずれか１項に記載の液体流路形成体。
【請求項８】
液体を貯留する液体貯留部と、上記液体を噴射する液体噴射ヘッドと、この液体噴射ヘッドが搭載され往復移動するキャリッジとを有する液体噴射装置において、
上記液体貯留部と上記液体噴射ヘッドとは請求項１から７のいずれか１項に記載の液体流路形成体を介して接続されていることを特徴とする液体噴射装置。
【請求項９】
前記液体貯留部と前記液体噴射ヘッドとは、請求項１から７のいずれか１項に記載の液体流路形成体とこの液体流路形成体より硬度が高い材質から形成される硬質液体流路形成体とを介して接続されていることを特徴とする請求項８に記載の液体噴射装置。
【発明の詳細な説明】
【技術分野】
【０００１】
本発明は、液体流路形成体および液体噴射装置に関するものである。
【背景技術】
【０００２】
インクが貯留されるインクカートリッジからインクチューブを介して印字ヘッドにインクを供給し、この印字ヘッドから、印刷用紙に対してインクを噴射することで、印刷用紙に画像を形成する、いわゆるインクジェットプリンタ（以下、単にプリンタと記載する。）が知られている。かかるプリンタには、インクカートリッジが印字ヘッドと共にキャリッジに搭載されている、いわゆるオンキャリッジタイプと、インクカートリッジがキャリッジに搭載されず、プリンタに対して固定的に備えられている、いわゆるオフキャリッジタイプの２つのタイプがある。
【０００３】
オフキャリッジタイプのプリンタにおいては、印字ヘッドは、キャリッジと一緒に往復移動するため、インクカートリッジに対して相対的に移動することになる。したがって、インクカートリッジから印字ヘッドへインクを供給するために、インクチューブが必要になる。そして、このインクチューブには、インクカートリッジに対して印字ヘッドの移動が許容されるように可撓性が要求される。そのため、インクチューブは可撓性を有するように硬度が低く弾力性を有する樹脂材から形成されている。
【０００４】
しかしながら、一般に、硬度が低く弾力性を有する樹脂材には、分子レベルの微小な孔が多数開いている。このため、この孔から、インクの溶媒である水分が水蒸気となって、この微小の孔を通って、経時的に少しずつ外部に放出していく。したがって、プリンタを長期間使用しない状態が続くと、インクの濃度が高くなる。この結果、インクの粘度が増し、印字ヘッドからインクの噴射を正常に行うことが出来なくなり、印字不良を起こすという問題がある。
【０００５】
特に、オフキャリッジタイプのプリンタにおいては、移動するキャリッジにインクカートリッジが干渉しないように、インクカートリッジをキャリッジの移動範囲の外側に配設する必要がある。そのため、印字ヘッドとインクカートリッジの間の距離が長く、インクチューブの長さも長くなる。インクチューブの長さが長くなると、その分だけ、インク内の水分の蒸発量が多くなり、インクの粘度が増すことによる印字不良の問題を起こし易くなる。
【０００６】
かかる問題を解決する手段として、特許文献１および２には次の構成が開示されている。特許文献１には、インクチューブを２重構造にし、内側のチューブにはインクを流し、内側のチューブの外側、すなわち、外側のチューブと内側のチューブの間にグリセリン等の蒸発し難い液体を介在させる構成が開示されている。この構成によれば、内側のチューブがグリセリン等の蒸発し難い液体に覆われるため、内側のチューブからインクの水分が蒸発することを抑えることができる。また、特許文献２には、揮発性インクが流れるインクチューブの周りを、揮発性インクが通過しないシートで覆う構成が開示されている。
【０００７】
【特許文献１】特開２００２−２４８７８０号公報（要約、段落００３５等参照）
【特許文献２】特許３５８８１６３号公報（段落００１２等参照）
【発明の開示】
【発明が解決しようとする課題】
【０００８】
しかしながら、特許文献１に開示される構成の場合、内側のチューブを外側のチューブから引き出す部分から外側のチューブ内の液体が外部に漏れないように、該引き出し部分を封止する必要がある。そのため、この封止部分が、経時的な劣化を生じ、内側のチューブを覆っている液体が漏れる等の問題がある。また、特許文献２に開示される構成の場合、インクチューブが撓む等の変形を繰り返した場合に、シートが破れてしまうという問題がある。
【０００９】
そこで、本発明は、インクチューブ内の水分の蒸発を防ぐために、インクチューブを水分蒸発防止のための液体やシートで覆わなくても、水分の蒸発を抑えることができる液体流路形成体、および液体噴射装置を提供することを目的とする。
【課題を解決するための手段】
【００１０】
上述の課題を解決するため、液体の流路を有する液体流路形成体において、液体流路形成体は、可撓性を有する材質から形成され、液体の流路より外側の周囲に、疎水性を有する物質を含む層が形成されていることとする。液体流路形成体をこのように構成した場合には、液体流路形成体に可撓性を持たせながら、流路内の液体の水分の蒸発を抑えることができる。
【００１１】
また、他の発明は、上述の発明に加え、疎水性を有する物質を、不揮発性の油であることとする。液体流路形成体をこのように構成した場合には、流路内の液体の水分の蒸発をより効果的に抑えることができる。
【００１２】
また、他の発明は、上述の発明に加え、疎水性を有する物質を含む層は、液体流路形成体の外周面より内側に形成されていることとする。液体流路形成体をこのように構成した場合には、疎水性を有する物質を含む層から、かかる物質が損失することを抑えることができる。
【００１３】
また、他の発明は、上述の発明に加え、疎水性を有する物質を含む層の内側には、流路が複数配設されていることとする。液体流路形成体をこのように構成した場合には、一本の液体流路形成体により複数の流路を確保することができる。
【００１４】
また、他の発明は、上述の発明に加え、疎水性を有する物質を含む層は多孔質に形成されていることとする。液体流路形成体をこのように構成した場合には、疎水性を有する物質を含む層に含まれる該物質の量を多くすることができ、流路内の水分の蒸発をより効果的に抑えることができる。
【００１５】
また、他の発明は、上述の発明に加え、硬度が低い材料は、エラストマ樹脂、ゴムまたはポリ塩化ビニル樹脂であることとする。液体流路形成体をこのように構成した場合には、可撓性を安定的に得ることができる。
【００１６】
また、他の発明は、上述の発明に加え、疎水性を有する物質を含む層の層厚は、この層より内側の疎水性を有する物質を含まない層の層厚よりも厚いこととする。液体流路形成体をこのように構成した場合には、流路内の水分の蒸発をより効果的に抑えることができる。
【００１７】
上述の課題を解決するため、液体を貯留する液体貯留部と、液体を噴射する液体噴射ヘッドと、この液体噴射ヘッドが搭載され往復移動するキャリッジとを有する液体噴射装置において、液体貯留部と液体噴射ヘッドとを上述の液体流路形成体を介して接続することとする。液体噴射装置をこのように構成した場合には、液体貯留部から液体噴射ヘッドへ流れる液体の水分の蒸発を抑えることができる。
【００１８】
また、他の発明は、上述の発明に加え、液体貯留部と液体噴射ヘッドとは、上述の液体流路形成体とこの液体流路形成体より硬度が高い材質から形成される硬質液体流路形成体とを介して接続されていることとする。液体噴射装置をこのように構成した場合には、液体貯留部から液体噴射ヘッドへ流れる液体の水分の蒸発をより効果的に抑えることができる。
【発明を実施するための最良の形態】
【００１９】
以下、本発明の実施の形態について、図面を参照しながら説明をする。
【００２０】
（第１の実施の形態）
図１は、本発明の第１の実施の形態に係る液体流路形成体１の一部を切り出した斜視図であり、図２は、その断面図である。図１および図２に示すように、液体流路形成体１は、内側層２と外側層３の２層から構成され、全体としてチューブ状を呈している。
【００２１】
内側層２は、可撓性を有するように、硬度が低く弾力性を有する樹脂材（例えば、ポリエステルエラストマー樹脂）から形成されている。内側層２の内部は中空に形成され、この中空の部分は、液体が流れる流路４として構成されている。すなわち、内側層２は、流路４の内周面を形成する流路形成層として構成されている。
【００２２】
外側層３も、可撓性を有するように硬度が低く弾力性を有する樹脂材（例えば、ポリエステルエラストマー樹脂）から形成されるが、この外側層３は、疎水性を有する物質として、水に対して相溶性の低い、すなわち、疎水性の液体である不揮発性の油を含んだものとなっている。そして、本実施の形態の液体流路形成体１においては、内側層２の層厚Ａと外側層３の層厚Ｂは、Ｂ＞Ａとなるように構成されている。
【００２３】
以上のように構成される液体流路形成体１は、内側層２を形成する樹脂材と外側層３を形成する樹脂材とを押出し成形することにより一体的に成形される。このとき、外側層３を形成する樹脂材に予め油（上述の疎水性を有する不揮発性の油）を混練させておくことで、押出し成形された液体流路形成体１は、その外側層３に油が含まれることになる。
【００２４】
上述したように、液体流路形成体１は、内側層２と外側層３が共に硬度が低く弾力性を有する樹脂材から形成されるため、液体流路形成体１も全体として可撓性を有する。そのため、液体流路形成体１の長さ方向の線形状を、撓みが許容される範囲で自在に変えることができる。したがって、液体流路形成体１を種々の装置や場所等に敷設する際に、液体流路形成体１の線形状の自由度を大きくすることができる。
【００２５】
また、液体流路形成体１は、外側層３に油を含むように構成されているため、流路４に水分を含む液体を流したときに、液体流路形成体１から水分が蒸発してしまうことを効果的に抑えることができる。例えば、液体として、水分を溶媒とするインクを流路４に流した場合に、溶媒の水分が内側層２を通して蒸発しようとしても、油を含む外側層３において水蒸気の通過が阻止される。このため、インクから水分が蒸発してしまうことを効果的に抑えることができる。
【００２６】
ところで、インクは、油分に触れると過敏に反応し、凝固や変質を生じ易い。しかしながら、液体流路形成体１においては、インクと接する内側層２は、油を含まない樹脂材により形成されている。そのため、インクが油分に触れたり、外側層３に含まれる油が、流路４を流れる液体に溶け出ることを防ぐことができる。
【００２７】
内側層２は、上述したように、流路４内の液体が、外側層３に含まれる油に触れたり、外側層３に含まれる油が流路４内の液体に溶け出てしまうことが無いようにする役目を担っている。したがって、内側層２の層厚Ａは、液体流路形成体１が撓む等の変形を繰り返された場合でも、亀裂が容易には生じない強度を確保できる程度の厚さとする必要がある。亀裂が生じてしまった場合には、この亀裂から流路４内の液体が外側層３の側に染み出て、外側層３に含まれる油と反応してしまう虞があるからである。
【００２８】
一方、外側層３は、層厚Ｂが、厚くなればなるほど、水分の蒸発を抑える効果が高くなる。したがって、層厚Ｃ（＝Ａ＋Ｂ）に制限がある場合には、層厚Ａを上記の強度を確保できる最低の厚さとし、層厚Ｂを、層厚Ｃの範囲内でできるだけ厚くなるようにすることで、流路４内の液体の水分の蒸発を効果的に抑えることができる。また、層厚Ａを上記の強度を確保できる最低の厚さとし、層厚Ｂを、水分の蒸発量を所定量に抑えることができる最低の厚さとすることにより、層厚Ｃ（＝Ａ＋Ｂ）を薄くでき、液体流路形成体１の外周径を小さくすることができる。
【００２９】
また、内側層２は、可撓性を有するため、撓み等の変形に対しては高い強度を有する。一方、外側層３は、油を含んでいても、硬度が低いため、硬度の高い材質のものに比べて水蒸気を通し易い傾向にある。したがって、Ｂ＞Ａとすることで、層厚Ｃを薄く抑えながら、水分の蒸発と外側層３に含まれる油と流路４を流れる液体とが接触してしまうことを効果的に防ぐことができる。なお、水の分子の大きさに比べて油の分子の大きさは大きい。すなわち、水蒸気が内側層２に浸透するのに比べて、油は、内側層２に浸透しにくい。そのため、層厚Ａを薄くしたとしても、外側層３の油が内側層２を通過して内側層２の内周面まで浸透してしまうことを防ぐことができる。
【００３０】
なお、内側層２の層厚Ａと外側層３の層厚Ｂは、上述したように、必ずしも、Ｂ＞Ａとする必要はなく、液体流路形成体１の撓みに対する強度や、水分の蒸発を抑えることができれば、Ａ＞ＢあるいはＡ＝Ｂとしてもよい。
【００３１】
（第２の実施の形態）
次に図３、図４を参照しながら本発明の第２の実施の形態に係る液体流路形成体５の構成について説明する。図３は、上述の第１の実施の形態に係る液体流路形成体１と同様に、液体流路形成体５の一部を切り出した斜視図であり、図４はその断面図である。図３および図４に示すように、液体流路形成体５は、内側層６、中側層７、外側層８の３つの層から構成され、上述の液体流路形成体１と同様に全体としてチューブ状を呈している。
【００３２】
内側層６は、第１の実施の形態に係る液体流路形成体１の内側層２と同様に、可撓性を有するように、硬度が低く弾力性を有する樹脂材から形成されている。また、内側層６の内部は中空に形成され、この中空の部分は、液体が流れる流路９として構成されている。また、中側層７は、第１の実施の形態に係る液体流路形成体１の外側層３と同様に、可撓性を有するように硬度が低く弾力性を有する樹脂材から形成されると共に、疎水性を有する物質として不揮発性の油を含んだものとなっている。そして、外側層８は、内側層２と同一の樹脂材から形成されている。
【００３３】
以上のように構成される液体流路形成体５は、内側層６を形成する樹脂材、中側層７を形成する樹脂材および外側層８を形成する樹脂材とを押出し成形することにより一体的に成形される。中側層７を形成する樹脂材に予め油（上述の疎水性を有する不揮発性の油）を混練させておくことで、押出し成形された液体流路形成体５は、その中側層７に油が含まれることになる。
【００３４】
この第２の実施の形態における液体流路形成体５は、上述の第１の実施の形態における作用効果に加え、中側層７の外周面が外側層８により覆われていることにより、中側層７に含有されている油の損失を抑えることができる。
【００３５】
また、中側層７が、油を含まない外側層８により覆われているため、液体流路形成体５に手指が触れても、油が手指に付着したり、あるいは、液体流路形成体５に、他の物体が触れても、油が他の物体に付着してしまうことを防止することができる。また、油が外気に触れ酸化し変質してしまうことを防止することができる。なお、油の分子は、水の分子に比べて大きいため、外側層８の層厚は、薄いものであっても油の損失等を効果的に抑えることができる。すなわち、外側層８の層厚は、中側層７の油の損失等を防ぐのに必要な厚さがあれば足りる。また、このように外側層８を薄くすることにより、液体流路形成体５の可撓性が必要以上に損なわれることを防ぐことができる。
【００３６】
まお、内側層６の層厚Ａと中側層７の層厚Ｂは、第１の実施の形態に係る液体流路形成体１の内側層２の層厚Ａと外側層３の層厚Ｂの関係にすることが好ましい。
【００３７】
また、上述の第２の実施の形態において、液体流路形成体５の端部に、フィルム等の封止部材を貼付して、中側層７が完全に外部に露出しないように構成してもよい。これにより、疎水性を有する液体（油）の損失等をより抑えることができる。
【００３８】
（第３の実施の形態）
次に図５、図６を参照しながら本発明の第３の実施の形態に係る液体流路形成体１０の構成について説明する。図５は、液体流路形成体１０の一部を切り出した斜視図であり、図６はその断面図である。図５および図６に示すように、液体流路形成体１０は、内側層１１と外側層１２の２層から構成されている。
【００３９】
内側層１１は、上述の第１の実施の形態における内側層２と同様に、可撓性を有するように、硬度が低く弾力性を有する樹脂材から形成されている。内側層１１の内部には、互いに平行に伸びる６つの中空部が形成され、これらの中空部は、それぞれ、液体が流れる流路１３として構成されている。６つの流路１３は、それぞれ、隔壁１４により互いに仕切られている。
【００４０】
外側層１２も、上述の第１の実施の形態における外側層３と同様に、可撓性を有するように、硬度が低く弾力性を有する樹脂材から構成されるが、この外側層１２は、水に対して相溶性の低い、すなわち、疎水性の物質として不揮発性の油を含んだものとなっている。
【００４１】
そして、以上のように構成される液体流路形成体１０は、内側層１１を形成する樹脂材と外側層１２を形成する樹脂材とを押出し成形することにより一体的に成形される。外側層１２を形成する樹脂材に予め油を混練させておくことで、押出し成形された液体流路形成体１０は、その外側層１２に油（上述の疎水性を有する不揮発性の油）が含まれることになる。
【００４２】
この第３の実施の形態における液体流路形成体１０は、上述した第１の実施の形態における作用効果に加え、液体流路形成体１０に複数の流路１３を形成することにより、１本の液体流路形成体１０で複数の流路１３を確保することができる。また、液体流路形成体１０に複数の流路１３を形成することで、各流路１３の表面積の合計に対する液体流路形成体１０の外周の表面積の割合が、上述した液体流路形成体１，５のように１本の液体流路形成体に対して１つの流路を形成した場合に比べて小さくなる。このため、流路１３内の水分の蒸発をより抑えることができる。
【００４３】
なお、内側層１１の層厚Ａと外側層１２の層厚Ｂは、第１の実施の形態に係る液体流路形成体１の内側層２の層厚Ａと外側層３の層厚Ｂの関係にすることが好ましい。なお、外側層１２を、内側層１１と同一の油を含まない樹脂材の層により覆う構成としてもよい。このように構成することにより、液体流路形成体１０に手指が触れても、油が手指に付着したり、あるいは、液体流路形成体１０に、他の物体が触れても、油が他の物体に付着してしまうことを防止することができる。また、外気による油の酸化を防止することもできる。更に、外側層１２に含有されている油の損失を抑えることもできる。
【００４４】
（第４の実施の形態／液体噴射装置の構成）
図７は、本発明の実施の形態に係る液体噴射装置としてのインクジェットプリンタ１５（以下、単にプリンタと言う。）の要部斜視図であり、液体流路形成体として上述した液体流路形成体１０を使用した例を示している。なお、図７において、Ｘ方向を左右方向、Ｙ方向を前後方向、Ｚ方向を上下方向として説明する。
【００４５】
図７に示すように、プリンタ１５は、左右方向に長い直方体形状の筐体１６を有している。そして、この筐体１６内に、印字機構１７およびインク供給機構１８が配設されている。
【００４６】
印字機構１７は、プラテン１９、ガイド軸２０、キャリッジ２１等から構成されている。
【００４７】
プラテン１９は、直方体形の薄板状を呈し、筐体１６の下部に配設され、筐体１６の長手方向、すなわち左右方向に、プラテン１９の長手方向を沿わせる向きで、筐体１６に対して架設されている。このプラテン１９は、図示を省略する給紙トレイと排紙トレイの間に配設されている。そして、図示を省略する紙送り機構によって、印刷媒体となる印刷用紙が、給紙トレイ（図示省略）からプラテン１９を通って排紙トレイ（図示省略）に給送される。プラテン１９上において、インクの塗布対象である印刷用紙にインクが塗布され、紙面上に画像が形成される。
【００４８】
プラテン１９の上方には、プラテン１９と平行にガイド軸２０が架設されている。そして、このガイド軸２０には、ガイド軸２０にガイドされて移動するキャリッジ２１が支持されている。筐体１６内には、図示を省略するキャリッジ駆動用のモータが備えられ、このモータとキャリッジ２１とが図示を省略するタイミングベルトを介して接続されている。したがって、キャリッジ２１は、モータ（図示省略）の駆動力を、タイミングベルト（図示省略）を介して受け、ガイド軸２０に沿って往復移動することができるようになっている。
【００４９】
キャリッジ２１の下面には、インク供給機構１８から供給されるインクを噴射する液体噴射ヘッドである印字ヘッド２２が設けられている。この印字ヘッド２２の下面側には、図示を省略する複数の噴射ノズルが設けられている。印字ヘッド２２の内部には、図示を省略する圧電素子が各噴射ノズル（図示省略）に対応して備えられている。そして、各圧電素子が駆動制御されることにより、インク供給機構１８から供給されるインク（液体）が、噴射ノズル（図示省略）から下方に向けて噴射されるように構成されている。
【００５０】
なお、キャリッジ２１には、複数のサブタンク（バルブユニットとも言われる。）２３が搭載され、インクは、インク供給機構１８から、一旦、サブタンク２３内に供給され、サブタンク２３内のインクが噴射ノズル（図示省略）から噴射させられる。
【００５１】
インク供給機構１８は、インクカートリッジホルダ２４，２４、インクカートリッジホルダ取付体２５，２５、加圧ポンプ２６，２６、液体流路形成体１０等から構成されている。
【００５２】
各インクカートリッジホルダ２４，２４の内部には、図示を省略する複数の液体貯留部としてのインクカートリッジが着脱可能に装着され、これらのインクカートリッジ内には、インクが貯留されている。インクカートリッジホルダ２４，２４は、キャリッジ２１の移動領域から外れる位置となる筐体１６の内部の左右位置に配設され、インクカートリッジホルダ取付体２５，２５に対して取付けられている。インクカートリッジホルダ２４，２４は、インクカートリッジホルダ取付体２５，２５に取付けられることで、筐体１６に対して固定的に備えられることになる。すなわち、本実施の形態に係るインクジェットプリンタ１５は、インクカートリッジ（図示省略）がキャリッジと共に移動しない、いわゆるオフキャリッジタイプのプリンタとして構成されている。
【００５３】
インクカートリッジホルダ２４，２４の上方には、蛇腹ポンプ等で構成された加圧ポンプ２６，２６が設けられている。この加圧ポンプ２６，２６により、インクカートリッジ（図示省略）内のインクパックが押し潰されるように変形することで、インクカートリッジ内に貯留されているインクがインクカートリッジホルダ取付体２５，２５に形成される液体流路部２７，２７へ送り出される。
【００５４】
インクカートリッジホルダ取付体２５，２５は、硬度が高い樹脂材（例えば、アクリル樹脂）から形成される基材２８，２８と、基材２８，２８の前側の面（キャリッジ２１と対向する面）である前面２８ｆ，２８ｆに固着される熱可塑性樹脂からなるフィルム２９，２９とを有している。フィルム２９，２９は、例えば、ポリエチレンテレフタラート、ナイロン、アルミニウム等が積層される層に対して、ポリプロピレン、又はポリエチレン等の複数の熱可塑性樹脂層を積層し、水蒸気を通過させない構成になっている。
【００５５】
基材２８，２８の前面２８ｆ，２８ｆには、各前面２８ｆ，２８ｆに沿って開口部が形成される溝部３０，３０が形成され、フィルム２９，２９は、この溝部３０，３０の開口部を封止するように基材２８，２８に対して熱圧着等により貼り付けられている。溝部３０，３０の開口部が、フィルム２９，２９により封止されることで、液体流路部２７，２７が形成される。すなわち、インクカートリッジホルダ取付体２５，２５は、全体として、硬度の高い液体流路形成体として構成されている。
【００５６】
溝部３０，３０は、インクカートリッジホルダ取付体２５，２５のインクカートリッジホルダ２４，２４が取り付けられる部分において、前後に抜ける、図示を省略する孔部が形成され、この孔部を介して、液体流路部２７，２７は、インクカートリッジ（図示省略）に液密に接続されている。また、インクカートリッジホルダ２４，２４の液体流路形成体１０側の先端部には、液体流路部２７，２７と液体流路形成体１０とを液密な状態で接続する接続部３１，３１が設けられている。したがって、インクカートリッジ（図示省略）から液体流路部２７，２７へ送り出されたインクは、液体流路部２７，２７を通って、液体流路形成体１０に流れる。
【００５７】
インクカートリッジ（図示省略）から液体流路部２７，２７へ送り出されたインクは、液体流路形成体１０を通り、サブタンク２３に一時貯留され、その貯留されたインクが、印字ヘッド２２の噴射ノズル（図示省略）から、下方に向けて噴射される。
【００５８】
インクカートリッジ（図示省略）およびサブタンク２３は、インク色（例えば、ブラック、イエロー、マゼンダ、シアン、ライトマゼンダ、ライトシアンの６色）の数だけ備えられている。なお、インクカートリッジ（図示省略）は、左右３つずつ備えられ、それぞれ、異なる色のインクが貯留されている。また、液体流路部２７，２７および液体流路形成体１も、各色のインク色毎に流路が形成されている。したがって、インクカートリッジ（図示省略）内の各色のインクは、他色のインクと混ざり合うことなく液体流路部２７，２７および液体流路形成体１を流れ、それぞれ対応する色のサブタンク２３内に貯留されることになる。
【００５９】
オフキャリッジタイプのプリンタ１５においては、インクカートリッジ（図示省略）が、筐体１６に対して固定されている。そのため、キャリッジ２１の移動が許容されるように、キャリッジ２１に搭載されるサブタンク２３とインクカートリッジ（図示省略）との間のインクの流路を形成する部材には可撓性が要求される。したがって、本実施の形態のプリンタ１５においては、サブタンク２３とインクカートリッジ（図示省略）との間に、可撓性を有する液体流路形成体１０（図５および図６参照）を介在させることにより、筐体１６に固定されるインクカートリッジ（図示省略）に対して、キャリッジ２１が移動することができるように構成されている。
【００６０】
一般に、流路を、硬度が高い材質により形成した場合と、硬度が低い材質により形成した場合とでは、硬度が高い材質の方が、硬度が低い材質に比べて水蒸気を通し難い傾向にある。したがって、インクカートリッジ（図示省略）からサブタンク２３までの間を、例えば、インクカートリッジホルダ取付体２５，２５と同一の硬度が高い材質により形成される部材により流路を形成するようにすれば、インクカートリッジ（図示省略）からサブタンク２３までの間の流路からインクの水分が蒸発することを効果的に抑えることができる。しかしながら、オフキャリッジタイプのプリンタにおいては、キャリッジ２１をインクカートリッジ（図示省略）に対して可動に構成する必要がある。このため、インクカートリッジ（図示省略）とサブタンク２３の間を全て硬度の高い材質の部材により流路を形成することはできない。
【００６１】
一方、インクカートリッジ（図示省略）とサブタンク２３の間の流路を全て、硬度が低く弾力性を有する可撓性を有する材質により形成した場合には、キャリッジ２１の移動は容易化されるものの、流路からインクの水分が蒸発する量が多くなってしまう。そのため、プリンタ１５を長期間に亘って使用しない状態が続くと、流路内に滞留しているインクの水分が蒸発し、インクの濃度が高くなり、インクの粘度が増し、その結果、インクノズルからのインクの噴射を正常に行うことが出来なくなり、印字不良を起こしてしまう。
【００６２】
これに対して、本実施の形態に係るプリンタ１５は、インクカートリッジ（図示省略）とキャリッジ２１との間が、インクカートリッジホルダ取付体２５，２５に形成される液体流路部２７，２７と液体流路形成体１０とにより接続されている。したがって、インクカートリッジホルダ取付体２５，２５の液体流路部２７，２７の部分においてはインクの水分の蒸発を極めて効果的に抑えることができるようになっている。
【００６３】
一方、液体流路形成体１０は、硬度の低い弾力性を有する樹脂材で形成するため可撓性を有し、この液体流路形成体１０において、キャリッジ２１の移動が許容される。さらに、液体流路形成体１０は、上述したように、外側層１２には油が含まれているため、インクの水分の蒸発を効果的に抑えることができる。このように、プリンタ１５は、液体流路部２７，２７が形成されるインクカートリッジホルダ取付体２５，２５および液体流路形成体１０により、全体として水分の蒸発が極めて低く抑えられており、しかも、キャリッジ２１の移動が、液体流路形成体１０において許容されるように構成されている。
【００６４】
したがって、インクカートリッジ（図示省略）からサブタンク２３までの流路のうち、キャリッジ２１の正常な印字動作に必要な所定の移動量を確保するのに必要な最小の長さ部分については、液体流路形成体１０により形成し、残りの流路については、インクカートリッジホルダ取付体２５，２５により形成する。このように構成することで、キャリッジ２１の移動を液体流路形成体１０において許容すると共に、インクカートリッジホルダ取付体２５，２５の液体流路部２７，２７においてインクの水分の蒸発を極めて効果的に抑えることができるので、インクカートリッジ（図示省略）からサブタンク２３までの流路（流路１３、液体流路部２７，２７）内のインクの水分の蒸発を効果的に抑えることができる。
【００６５】
プリンタ１５は、６色のインクカートリッジ（図示省略）を有するため、液体流路形成体１０の流路１３は、色数に対応させて６つ形成されているが、流路１３の数は、インクの色数に応じて適宜に設定する。例えば、インクが４色でありインクカートリッジ（図示省略）が４つの場合は、流路１３の数を４つとしたり、あるいは、インクが８色であり、インクカートリッジ（図示省略）が８つの場合は、流路１３の数を８つとする。また、サブタンク２３とインクカートリッジホルダ取付体２５，２５とは、インクの色数に応じた本数の液体流路形成体１あるいは液体流路形成体５により接続するようにしてもよい。
【００６６】
上述の各実施の形態において、液体流路形成体１、液体流路形成体５、液体流路形成体１０を形成する硬度が低い弾力性を有する樹脂材としては、例えば、ポリプロピレン、ポリエステルエラストマー樹脂、ポリウレタンエラストマー樹脂、オレフィン系の熱可塑性エラストマー等のエラストマー樹脂、シリコーンゴム、クロロプレンゴム、ニトリルブタジエンゴム、ブチルゴム等のゴム、またはポリ塩化ビニル樹脂、ポリエチレン等を使用することができ、硬度は、硬度１０〜７０程度に、また、弾力性の程度は、液体流路形成体１，５，１０の自身の自重により折れ曲がる（屈曲する）ことなく、かつ、キャリッジ２１の移動に対して追従できる程度に設定する。なお、硬度については、好ましくは硬度３０から５０の範囲とすることで、油を含まない層である内側層２，６，１１において、水蒸気の通過量を低く抑えることができると共に、液体流路形成体１，５，１０が、自重により折れ曲がる（屈曲する）ことなく、かつ、キャリッジ２１の移動に対して好適に追従できる程度に可撓性を確保することができる。
【００６７】
液体流路形成体１の外側層３、液体流路形成体５の中側層７，液体流路形成体１０の外側層１２に含まれる、疎水性を有する物質としては、ポリ・アルファオレフィン、流動パラフィン、鉱物油、ポリ塩化ビフェル等の不揮発性の油の他、エステル等の液体を使用することができる。
【００６８】
インクカートリッジホルダ取付体２５，２５の基材２８，２８を形成する樹脂材としては、アクリルあるいはＡＢＳ等を使用することができ、硬度は、硬度７０以上に設定することで、基材２８，２８からの水分の蒸発を効果的に抑えることができる。好ましくは、硬度８５から９５の範囲とすることで、水分の蒸発をより効果的に抑えることができると共に、僅かな弾力性を有することで、基材２８，２８に物などが衝突した際に、その衝撃が吸収され、基材２８，２８の破損を防ぐことができる。
【００６９】
（変形例）
液体流路形成体１の外側層３、液体流路形成体５の中側層７，液体流路形成体１０の外側層１２を多孔質に形成し、この多孔質の層に、疎水性を有する液体を含ませるようにしてもよい。このように、疎水性を有する液体を含む層を多孔質に形成することにより、疎水性を有する液体の量を多くすることができ、流路４，９，１３内の水分の蒸発をより効果的に抑えることができる。
【００７０】
上述の各実施の形態では、液体流路形成体１、液体流路形成体５，液体流路形成体１０を押出し成形により一体的に成形しているが、各層に対応する管状部材を別々に形成しておき、外側の管状部材に内側の管状部材を挿入するようにして形成してもよい。
【００７１】
また、上述の各実施の形態では、疎水性を有する物質として、油等の液体を使用しているが、疎水性を有する物質は、グリース状の半固体、あるいは固体の状態で、外側層３、中側層７、外側層１２に含有されているものでもよい。
【図面の簡単な説明】
【００７２】
【図１】本発明の第１の実施の形態に係る液体流路形成体の一部を切り出した斜視図である
【図２】図１に示す液体流路形成体の断面図である。
【図３】本発明の第２の実施の形態に係る液体流路形成体の一部を切り出した斜視図である。
【図４】図３に示す液体流路形成体の断面図である。
【図５】本発明の第３の実施の形態に係る液体流路形成体の一部を切り出した斜視図である。
【図６】図５に示す液体流路形成体の断面図である。
【図７】本発明の実施の形態に係る液体噴射装置の概略の構成を示す要部斜視図である。
【符号の説明】
【００７３】
１，５，１０…液体流路形成体、４，９，１３…流路、３，１２…外側層（疎水性を有する液体を含む層）、  ７…中側層（疎水性を有する液体を含む層）、２２…印字ヘッド（液体噴射ヘッド）、２１…キャリッジ、１５…インクジェットプリンタ（液体噴射装置）
【図１】
2008188895.tif 000003
【図２】
2008188895.tif 000004
【図３】
2008188895.tif 000005
【図４】
2008188895.tif 000006
【図５】
2008188895.tif 000007
【図６】
2008188895.tif 000008
【図７】
2008188895.tif 000009